(57)【特許請求の範囲】
【請求項１】
上方に全面開放する洗浄槽(12)と、該洗浄槽(12)の開口部(12a)に面して配設された食器ラック載置用のラックレール(22)と、洗浄槽(12)の背部側に位置するリアフレーム(16)に昇降可能に配設されて洗浄槽(12)を上方から被蓋するケーシング状蓋体(14)と、該ケーシング状蓋体(14)を下降可能に上方へ付勢するようリアフレーム(16)に配設された複数のスプリング(26)と、該スプリング(26)を正面側から被覆するようリアフレーム(16)に配設されたスプリングカバー(28)とを備える食器洗浄機において、
前記スプリングカバー(28)の下端部をリアフレーム(16)に回動可能に取付け、前記スプリング(26)を正面側から被覆する第１位置と、該スプリング(26)を露出して前記ラックレール(22)の上面に載置される第２位置との間で回動し得るよう構成した
ことを特徴とする食器洗浄機のスプリングカバー取付構造。
【請求項２】
前記スプリングカバー(28)における左右両側面の下端部に軸体(32)を夫々設けると共に、前記リアフレーム(16)の左右両側に各軸体(32)と対応する係合孔(34)を夫々設け、両係合孔(34,34)に両軸体(32,32)を回動可能に係合させることにより、スプリングカバー(28)がリアフレーム(16)に回動可能に取付けられる請求項１記載の食器洗浄機のスプリングカバー取付構造。
【請求項３】
前記スプリングカバー(28)における左右両側面の下端部に軸体(44)を夫々設けると共に、前記リアフレーム(16)の左右両側に各軸体(44)と対応する長孔(46)を上下方向に夫々設け、両長孔(46,46)に両軸体(44,44)を回動および上下動可能に係合させることで、スプリングカバー(28)がリアフレーム(16)に回動可能に取付けられる請求項１記載の食器洗浄機のスプリングカバー取付構造。
【発明の詳細な説明】
【０００１】
【発明の属する技術分野】
この発明は、上方に全面開放する洗浄槽と、該洗浄槽を上方から被蓋する昇降可能なケーシング状蓋体および該蓋体の昇降動作を容易化するためのスプリングを備えた食器洗浄機であって、該スプリングを正面側から被覆するスプリングカバーを回動可能に取付けた食器洗浄機のスプリングカバー取付構造に関するものである。
【０００２】
【従来の技術】
飲食に供した後の皿、茶碗、コップ等の食器を自動的に洗浄するための食器洗浄機が、喫茶店やレストラン等の厨房、更には一般家庭にも設置されて広く好適に使用されるに至っている。図７および図８に示すように、この食器洗浄機１０は、上部に開口部１２ａが形成された矩形状の洗浄槽１２と、この洗浄槽１２を上方から被蓋して内部に洗浄室を画成するケーシング状蓋体１４および該洗浄槽１２の背部側に配設したリアフレーム１６に回動可能に枢支されたドアハンドル１８とから基本的に構成される。洗浄室内の上下位置には、食器洗浄用の洗浄ノズル２０およびすすぎノズル２１(何れも下方のノズルのみ図示)が水平回転可能に配設されており、洗浄時に供給される温水等の噴射反力で水平回転するようになっている。また開口部１２ａに面した位置には、ステンレス線材からなるラックレール２２が配設される。そして、食器洗浄機１０を使用する際には、多数の食器を収納した食器ラック(図示せず)を該ラックレール２２上に載置し、ケーシング状蓋体１４を閉成した状態で各食器に温水を吹付けることで効率的な洗浄がなされる。
【０００３】
なお、前記ドアハンドル１８は平面コ字状に形成され、該ハンドル１８の両開放端をリアフレーム１６に枢支した状態で、ケーシング状蓋体１４の前面および左右両側面を取り囲むよう配置される。また、ケーシング状蓋体１４の左右両側面に臨むドアハンドル１８の各側杆に、該蓋体１４の側面に一端が枢支されたリンク杆２３の他端が夫々枢支され、ドアハンドル１８の回動操作によってケーシング状蓋体１４が平行に昇降するよう構成されている。
【０００４】
前記リアフレーム１６の正面(前記洗浄室に臨む面)には、洗浄槽１２の開口部１２ａから上方に離間する所定位置に、ケーシング状蓋体１４の内部に臨んで前記ドアハンドル１８の上下動と連動するアーム(図示せず)が回動可能に枢支されている。またアームに配設したシャフト２４と、リアフレーム１６における洗浄槽１２の開口部１２ａに近接する下部位置との間に、複数(図示例では５本)のスプリング２６が張架してある。これらのスプリング２６は、ケーシング状蓋体１４を下降可能に上方へ付勢するよう構成されると共に、全てのスプリング２６の付勢力がケーシング状蓋体１４の自重と略均衡するよう設定されており、これによって該蓋体１４を僅かな力で昇降移動させ得るようになっている。
【０００５】
更に食器洗浄機１０には、図８に示すように、リアフレーム１６に配設された前記スプリング２６の正面側に、該スプリング２６を被覆するスプリングカバー２８が配設されている。このスプリングカバー２８は、スプリング群を被覆し得る寸法の矩形状に形成されると共に、その周縁部には幅狭のフランジ部２８ａが折曲形成され、左右に位置する各フランジ部２８ａの上端部および下端部近傍に、鉤状に形成した係止片３０が背面側に向けて夫々突出成形されている。また、スプリングカバー２８が取付けられるリアフレーム１６には、各係止片３０と対応する位置に、その挿通を許容する寸法の係止孔１６ａが夫々開設されており、各係止孔１６ａに対応する係止片３０を正面側から夫々挿通してその下端部に係止することにより、該カバー２８がリアフレーム１６に位置決め状態で取付けられる。これにより、食器を洗浄するに際して前記洗浄ノズル２０やすすぎノズル２１から噴射される温水等がスプリング２６に掛かるのを防止している。
【０００６】
【発明が解決しようとする課題】
前述した食器洗浄機１０では、前記スプリングカバー２８を洗浄したりスプリング２６の点検等のメンテナンスに際しては、該スプリングカバー２８における左右のフランジ部２８ａ,２８ａに形成した前記各係止片３０をリアフレーム１６の対応する係止孔１６ａから抜き外して、該カバー２８を洗浄室外に取出す必要がある。このため、厨房等の狭い場所ではスプリングカバー２８を置く場所を探すのが煩雑であると共に場所をとる難点がある。また、食器洗浄機１０の外部にスプリングカバー２８を置くことで、不衛生となり易い問題も指摘される。
【０００７】
【発明の目的】
この発明は、前述した従来の技術に内在している前記課題に鑑み、これを好適に解決するべく提案されたものであって、スプリングカバーを回動可能に取付けることで、該カバーの洗浄やスプリングの点検等を容易に行ない得ると共に、衛生的に保ち得るようにした食器洗浄機のスプリングカバー取付構造を提供することを目的とする。
【０００８】
【課題を解決するための手段】
前述した課題を克服し、所期の目的を好適に達成するため、本発明に係る食器洗浄機のスプリングカバー取付構造は、
上方に全面開放する洗浄槽と、該洗浄槽の開口部に面して配設された食器ラック載置用のラックレールと、洗浄槽の背部側に位置するリアフレームに昇降可能に配設されて洗浄槽を上方から被蓋するケーシング状蓋体と、該ケーシング状蓋体を下降可能に上方へ付勢するようリアフレームに配設された複数のスプリングと、該スプリングを正面側から被覆するようリアフレームに配設されたスプリングカバーとを備える食器洗浄機において、
前記スプリングカバーの下端部をリアフレームに回動可能に取付け、前記スプリングを正面側から被覆する第１位置と、該スプリングを露出して前記ラックレールの上面に載置される第２位置との間で回動し得るよう構成したことを特徴とする。
【０００９】
【発明の実施の形態】
次に、本発明に係る食器洗浄機のスプリングカバー取付構造につき、好適な実施例を挙げて、添付図面を参照しながら説明する。なお、図７,図８を参照して説明した従来の技術に既出の同一部材については、同一の符号を付して、その詳細説明は省略する。
【００１０】
図１に示すように、実施例のスプリングカバー２８は、その下端部を洗浄槽１２の開口部１２ａに近接した部位に回動可能に取付けることにより、前記複数のスプリング２６を正面側から被覆する第１位置と、該スプリング２６を露出して前記ラックレール２２の上面に載置される第２位置との間を回動し得るよう構成されている。スプリングカバー２８の下端部には、左右フランジ部２８ａ,２８ａの離間寸法よりは短かいカバー片２８ｂが一体成形されると共に、該カバー片２８ｂの左右両側面に、軸体３２が夫々幅方向の外方に所定長さだけ突設されている。また、ケーシング状蓋体１４が昇降可能に配設されるリアフレーム１６には、左右に離間して一対の角筒状の支柱３６,３６が設けられ、各支柱３６の軸体３２と対応する位置に係合孔３４が設けられている。この係合孔３４は、図２に示す如く、支柱３６の正面側に開放する横孔３８と、他方の支柱３６と対向する内面側に開放して、横孔３８の上端縁と整列する位置から該横孔３８の下端縁より所定長さだけ下方の位置まで延在する挿通孔４０とから構成される。なお、一対の支柱３６,３６の内面間の離間寸法は、前記カバー片２８ｂの左右幅寸法よりは大きく、かつ前記一対の軸体３２,３２の開放端間の寸法よりは小さく設定されている。すなわち、各軸体３２を対応する横孔３８に正面側から挿通して挿通孔４０の内部に臨ませた後に、該挿通孔４０の下端縁に軸体３２を落着させることで、スプリングカバー２８は一対の軸体３２,３２を介してリアフレーム１６に対して回動可能に取付けられるようになっている。
【００１１】
なお、前記スプリングカバー２８の外形寸法は、前記洗浄槽１２内に収まる大きさに設定され、前記ラックレール２２に載置した状態で、該カバー２８が洗浄槽１２からはみ出ることはないようになっている。
【００１２】
前記スプリングカバー２８の左右フランジ部２８ａ,２８ａには、その上端部近傍に鉤状の係止片３０,３０が背面側に突出成形されており、各係止片３０と対応するリアフレーム１６の支柱３６に開設されている前記係止孔１６ａに該係止片３０を正面側から挿通してその下縁部に係止することで、該カバー２８はスプリング群を正面側から被覆した第１位置に位置決め保持される。なお、前記挿通孔４０の下端縁位置は、前記軸体３２が落着している状態では、係止片３０が係止孔１６ａの下縁部に係止されて正面側への回動が規制されるよう設定される。
【００１３】
【実施例の作用】
次に、実施例に係る食器洗浄機のスプリングカバー取付構造の作用につき、以下説明する。前記食器洗浄機１０による食器の洗浄運転時には、前記スプリングカバー２８は、図１に示すように、前記一対の軸体３２,３２が、リアフレーム１６の対応する係合孔３４,３４における挿通孔４０,４０の下端縁に落着すると共に、上端部近傍に形成した前記係止片３０,３０がリアフレーム１６の係止孔１６ａ,１６ａに挿通して係止された状態で、前記スプリング群を正面側から被覆する第１位置に位置決め保持されている。
【００１４】
前記スプリングカバー２８の洗浄またはスプリング２６の点検等のメンテナンスに際しては、前記各係止片３０の鉤状下端部がリアフレーム１６の係止孔１６ａにおける下端縁と干渉しない位置までスプリングカバー２８を持上げ、該係止片３０を係止孔１６ａから正面側に抜き外す。なお、係止片３０を係止孔１６ａから抜き外すためにスプリングカバー２８を持上げる際には、軸体３２が挿通孔４０の内部を上昇するが、係止孔１６ａと係止片３０との係止状態が解除される時点では前記横孔３８にまでは到達しておらず、該軸体３２が係合孔３４から抜けることはない。しかる後、前記一対の軸体３２,３２を回動支点としてスプリングカバー２８を正面側に回動することで、該カバー２８は前記ラックレール２２の上面に載置された第２位置に位置決めされ、前記スプリング２６は露出することとなる。
【００１５】
すなわち、前記スプリングカバー２８をリアフレーム１６から完全に取外すことなく、ラックレール２２に載置した状態で洗浄することができる。また、第２位置においてもスプリングカバー２８は軸体３２,３２を介してリアフレーム１６に対しては係合しているから、洗浄中に該カバー２８がラックレール２２から落下することはない。更に、この状態でスプリング２６の点検も簡単に行なうことができる。すなわち、スプリングカバー２８を食器洗浄機１０の外部に置く必要はなく、該カバー２８を置く場所を狭い厨房内で探したりスペースを確保する必要もない。また、スプリングカバー２８が汚れることもないので、衛生的である。
【００１６】
次に、前記スプリングカバー２８の洗浄やスプリング２６の点検等のメンテナンスの終了後は、前述した手順とは逆に、該カバー２８を軸体３２,３２を支点として食器洗浄機１０の背面側に向けて回動して起立させた後に、前記係止片３０,３０をリアフレーム１６の係止孔１６ａ,１６ａに挿通して係止することで第１位置に位置決め保持する。この第１位置への位置決め作業は、２個の係止片３０,３０を係止孔１６ａ,１６ａに挿通するだけであるから、その作業性は良好である。なお、スプリングカバー２８は、係止片３０,３０を係止孔１６ａ,１６ａから抜き外した状態で、その下端部側を上方に移動して軸体３２,３２を係合孔３４,３４の横孔３８,３８から正面側に抜き外すことにより、リアフレーム１６から完全に取外すことができる。
【００１７】
【変更例について】
本発明は、前述した実施例に限定されるものでなく、以下の如き変更例を採用し得る。なお、変更例の説明においては、実施例と異なる部分について説明することとする。
【００１８】
図３は、スプリングカバー取付構造の第１変更例を示すものであって、該取付構造のスプリングカバー２８では、その下端部における左右両端部に、背面側に延出する一対の矩形状のフランジ部材４２,４２が設けられる。各フランジ部材４２の外側面には、幅方向の外方に向けて所定長さで突出する軸体４４が夫々設けられている。また、前記リアフレーム１６の各支柱３６における内面に、前記軸体４４が回動かつ上下動可能に挿通係合される長孔４６が、上下方向に所定長さ延在するよう夫々形成される。すなわち、第１変更例に係るスプリングカバー２８は、一対の軸体４４,４４が対応する長孔４６,４６に回動可能に挿通係合されることで、リアフレーム１６に回動可能に取付けられる。
【００１９】
なお、各長孔４６は、前記ラックレール２２の上面位置を挟んで上下所定長さの範囲に亘って形成されており、スプリングカバー２８を第１位置に位置決めした際には、長孔４６の下端に軸体４４が落着して、ラックレール２２の上面位置より下方に臨む前記スプリング２６の下部を該カバー２８で被覆し得るようになっている。また、軸体４４,４４を回動支点としてスプリングカバー２８を正面側に回動した際には、該軸体４４,４４が長孔４６,４６内を上動することで、該カバー２８が前記ラックレール２２の上面に略水平に載置されるよう構成してある(図３の二点鎖線)。
【００２０】
前述した第１変更例の場合も、前記軸体４４,４４を長孔４６,４６に挿通係合した状態のスプリングカバー２８の前記係止片３０,３０を、リアフレーム１６の係止孔１６ａ,１６ａに挿通して係止することで、該カバー２８は前記スプリング２６を正面側から被覆する第１位置に位置決め保持される。そして、前記係止片３０,３０を係止孔１６ａ,１６ａから正面側に抜き外した状態で、前記軸体４４,４４を回動支点としてスプリングカバー２８を正面側に回動することで、該カバー２８はラックレール２２の上面に載置された第２位置に位置決めされる。これにより、スプリングカバー２８の洗浄やスプリング２６の点検等のメンテナンスを容易に行なうことができる。また、ラックレール２２上にスプリングカバー２８を略水平に載置し得るから、洗浄に際して該カバー２８を上方から押さえ付けた場合であっても、該カバー２８が変形するおそれはない。
【００２１】
図４は、スプリングカバー取付構造の第２変更例を示すものであって、該取付構造のスプリングカバー２８は、ヒンジ４８を介して相互に回動可能に接続された第１カバー体５０および第２カバー体５２で構成されている。第１カバー体５０はスプリングカバー２８の略全体を占める寸法に設定され、図に示す如く、その上端部の左右幅方向の両端部に形成されて背面側に突出する係止片５１,５１が、リアフレーム１６の支柱３６,３６における内面側に配設されたラッチ部材５４,５４に正面側から係脱可能に構成される。また、第２カバー体５２は第１カバー体５０の下端部にヒンジ４８を介して回動可能に接続されており、その下端部の左右幅方向の両側面に、幅方向外方に向けて軸体５６が夫々突設されている。そして、一対の軸体５６,５６が、リアフレーム１６の両支柱３６,３６における内面側に穿設された挿通孔(図示せず)に回動可能に挿通配置してある。なお、第２カバー体５２のリアフレーム１６に対する枢支位置は、前記ラックレール２２の上面位置よりは下方に設定され、該カバー体５２により前記スプリング２６の下部まで被覆し得るようになっている。
【００２２】
前述した第２変更例の場合は、前記スプリングカバー２８が第１位置に位置決めされた状態では、図に示す如く、第１カバー体５０と第２カバー体５２とが前記ヒンジ４８を介して略直線上に整列して前記スプリング２６を正面側から被覆する。そして、前記各ラッチ部材５４と第１カバー体５０の各係止片５１との係止状態を強制的に解除し、該第１カバー体５０を正面側に向けて回動させることで、該カバー２８はラックレール２２の上面に載置された第２位置に位置決めされる。この場合に、第１カバー体５０と第２カバー体５２とはヒンジ４８で回動可能に接続してあるから、第２カバー体５２に対して第１カバー体５０が回動することで、図４の二点鎖線で示す如く、ラックレール２２上にスプリングカバー２８の第１カバー体５０が略水平に載置され、洗浄に際して該カバー体５０を上方から押さえ付けた場合であっても、該カバー体５０が変形することはない。
【００２３】
【食器ラックについて】
図５は、食器を洗浄するに際し、該食器を収容して前記ラックレール２２の上面にセットする食器ラック５８を示し、耐熱温度を向上させた合成樹脂を材料として成形されている。この食器ラック５８を形成する各側面部６０には、その高さ方向に沿って第１リブ６２が成形されると共に、該第１リブ６２と同一の幅寸法に設定された第２リブ６４が、食器ラック５８の外周面に沿って成形されている。この外周面に沿う第２リブ６４の各上端面は、図６に示すように、食器ラック５８の内側から外側に向かうにつれて所定角度(例えば１５度)で傾斜している。このように第２リブ６４の上端面を傾斜させることにより、食器洗浄時に噴射供給された洗浄水が該第２リブ６４の上端面に飛散しても該傾斜面を流下して残留し難くなるため、次の乾燥工程において該第２リブ６４の上端面を略全面的に乾燥させることができる。従って、食器ラック５８を食器洗浄機１０から取出したときに、食器ラック５８に付着残留していた水が床に垂れて濡らしたり、乾燥後の食器を濡らすことはない。
【００２４】
【発明の効果】
以上に述べた如く、本発明に係る食器洗浄機のスプリングカバー取付構造によれば、スプリングカバーの下端部をリアフレームに回動可能に取付けることで、ケーシング状蓋体を下降可能に上方へ付勢するスプリングを、その正面側から被覆する第１位置と、ラックレールの上面に載置される第２位置との間で回動し得るようになっている。すなわち、スプリングカバーの洗浄やスプリングの点検等のメンテナンスに際し、該カバーをリアフレームから取外して外部に置く必要はなく、該カバーを置く場所を探したりスペースを確保する必要がなくなる。また、スプリングカバーが汚れることもないので、衛生的である。
【００２５】
更に、スプリングカバーの軸体をリアフレームの長孔に上下動可能に係合することで、ラックレール上にスプリングカバーを略水平に載置することが可能となり、洗浄等に際して該カバーを上方から押さえ付けた場合であっても、該カバーが変形するおそれはない。
【図面の簡単な説明】
【図１】  本発明の実施例に係る食器洗浄機のスプリングカバー取付構造を示す要部斜視図である。
【図２】  実施例に係る食器洗浄機のスプリングカバー取付構造を示す別の要部斜視図である。
【図３】  第１変更例に係る食器洗浄機のスプリングカバー取付構造を示す要部縦断面図である。
【図４】  第２変更例に係る食器洗浄機のスプリングカバー取付構造を示す要部縦断面図である。
【図５】  食器ラックを示す斜視図である。
【図６】  食器ラックを示す要部縦断面図である。
【図７】  食器洗浄機を示す全体斜視図である。
【図８】  従来の技術に係る食器洗浄機のスプリングカバー取付構造を示す概略斜視図である。
【符号の説明】
１２ 洗浄槽，１２ａ 開口部，１４ ケーシング状蓋体，１６ リアフレーム
１６ａ 係止孔，２２ ラックレール，２６ スプリング
２８ スプリングカバー，３２ 軸体，３４ 係合孔，４４ 軸体，４６ 長孔
【図１】
0004518689.tif 000002
【図２】
0004518689.tif 000003
【図３】
0004518689.tif 000004
【図４】
0004518689.tif 000005
【図５】
0004518689.tif 000006
【図６】
0004518689.tif 000007
【図７】
0004518689.tif 000008
【図８】
0004518689.tif 000009